(57)【要約】      （修正有）【課題】水を張った容器の中に何人かの競技者が、コインなどの駒を落とし込み、容器の淵から水が、零れ落ちないように競うゲームにおいて、勝敗がついた後、容器に入ったコインなどの駒と水の分離が容易でゲーム性に富む表面張力ゲームを提供する。【解決手段】競技用容器１の他に、水５とコインなどの駒４を分離させる為の穴の空いた蓋を持つ容器を設けることで、簡単に水とコインなどの駒を分けることが出来、次回のゲームへの移行が円滑になった。更に、駒を人形にすることで、大きさも多様化し、ユーモラスなゲームが楽しめるようになった。【選択図】図３
0003163652.tif 000002
【実用新案登録請求の範囲】
【請求項１】
競技者が、水を張ったコップ状の容器の中に、容器の淵から、水が零れ落ちないように気をつけながら、駒を落とし込む表面張力を利用したゲームを競技する為のものであり、ゲームを行う為のコップ状の競技用容器と、水と駒とを分離させる為の水切り用の穴の空いた蓋を被せたコップ状の水きり用の容器の二つを使用する表面張力を利用するゲームのセット。
【請求項２】
競技者が、水を張ったコップ状の容器の中に、容器の淵から、水が零れ落ちないように気をつけながら、駒を落とし込む表面張力を利用したゲームを競技する為のものであり、使用する駒は、人間や動植物を象った人形を使用するゲームのセット。
【考案の詳細な説明】
【技術分野】
【０００１】  本考案は、水を張った容器の中にコインなどの駒を落とし込み、水が容器の淵から零れ落ちないように競う、表面張力ゲームに関するものである。
【背景技術】
【０００２】  水を張った容器の中に何人かの競技者が、コインなどの駒を容器の中に落とし込み、容器の淵から水が、零れ落ちないように競い合う表面張力ゲームにおいて、勝敗がついた後、容器に入ったコインなどの駒と水の分離が煩わしかった。
また、コインなどが駒として一般的に用いられるが、無機質な上に、大きさが均一で、ゲームの面白みに欠ける。
【先行技術文献】
【特許文献】
【０００３】
【特許文献１】なし
【特許文献２】なし
【非特許文献】
【０００４】
【非特許文献１】なし
【考案の概要】
【考案が解決しようとする課題】
【０００５】  一般的に行われている表面張力ゲームは、水を張った容器にコインを落とし込み、水が容器から零れないように競う内容である。  水が零れ、ゲームが終了してから、次のゲームに入るまで、水を捨て、コインを取り出すという煩わしい作業が発生する。
また、コインが主に駒として使われるが、大きさが均一で、ゲーム性に掛け、無機質である。
【課題を解決するための手段】
【０００６】  水を張って、容器にコインなどの駒を落とす表面張力ゲームを行う為の、競技用容器以外にもう一つ、水切り用容器を設ける。
水切り用容器には、網状やじょうごの形状をとる水切り用の穴の空いた蓋を被せる。
一度、ゲームが終了すると競技用容器に、駒と水が入った状態になるので、競技用容器に入った水と駒を、そのまま、水切り用容器に移す。
水は水切り用容器の底に入り込み、駒は水切り用の蓋の上に残るといったこれらの構造を持たせることを手段とする。
また、コインを主に駒として使用しているが、駒を人、動植物を象った人形にすることで、無機質さを解消し、駒の大きさも様々になり、ゲームの面白みを広げる。
【考案の効果】
【０００７】  競技用容器以外に、水切りを行う穴の空いた蓋がある水きり用容器が、ある為に、コインと水の分離が簡単に行われ、次回のゲームへの移行が円滑になる。
また、コインの代わりに人や動植物を象った人形にすることで、ユーモラスな雰囲気がでる。
【図面の簡単な説明】
【０００８】
【図１】  競技用容器の斜視図。
【図２】  水切り用容器の斜視図。
【図３】  競技用容器に入った水とコインなどの駒を水切り容器に移し、水とコインを分離させている斜視図。
【図４】  駒を人形にしたものの正面図。
【考案を実施するための形態】
【０００９】    競技用の容器と、水切り用の容器の二つをセットにして用いる。
競技用の容器はコップ状の容器である。
水切り用の容器は、水と駒とを分離させる為に用いられ、コップ状の容器に、水切り用の穴の空いた蓋が被せてある形状をとる。
【実施例】
【００１０】以下、添付図面に従って、実例を説明する。
実例
図３のように、水（５）を張った競技用容器（１）の淵から、水（５）がこぼれ落ちないように駒（４）を入れる事を競う表面張力ゲームを行う際、どちらかのプレーヤーが競技用容器（１）から、水（５）を溢して、勝敗が決まった後、図４のように、水（５）と駒（４）が入った状態の競技用容器（１）の中身を、水切り用の穴の空いた蓋（３）を被せた、水切り用容器（２）に移すことで、駒（４）は水切り用の穴の空いた蓋（３）の上に残り、水（５）は蓋に空けられた穴を通って、水切り用容器（２）の底に入り込み、水（５）と駒（４）との分離を円滑に行い、次のゲームに入り易くするというこれらの構造を持つ表面張力ゲームのセットである。
また、図５のように駒は、コインだけではなく、人や動植物を象った人形（６）を用いる。
【産業上の利用可能性】
【００１１】スリリングな表面張力ゲームが、これらの構造を持つことで、円滑に行われる。
【符号の説明】
【００１２】１  競技用容器
２  水切り用容器
３  水切り用容器に被せる水切り用の穴の開いた蓋
４  コインなどの駒
５  水
６  人形を象った駒
【図１】
0003163652.tif 000003
【図２】
0003163652.tif 000004
【図３】
0003163652.tif 000005
【図４】
0003163652.tif 000006
【図５】
0003163652.tif 000007
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
本考案は、競技者が、水を張ったコップ状の容器の中に、容器の淵から、水が零れ落ちないように気をつけながら、駒を落とし込む表面張力を利用したゲームを競技する為のものであり、ゲームを行う為のコップ状の競技用容器と、水と駒とを分離させる為の水切り用の穴の空いた蓋を被せたコップ状の水きり用の容器の２種類の容器と競技用駒を使用する前記競技用容器、前記水切り用の蓋のついた容器、前記競技用駒からなるセットである。
【請求項２】
本考案は、競技者が、水を張ったコップ状の容器の中に、容器の淵から、水が零れ落ちないように気をつけながら、駒を落とし込む表面張力を利用したゲームを競技する為のものであり、ゲームを行う為のコップ状の競技用容器と、水と駒とを分離させる為の水切り用の穴の空いた蓋を被せたコップ状の水きり用の容器の２種類の容器と競技用駒を使用する前記競技用容器、前記水切り用の蓋のついた容器、前記競技用駒からなるセットであり、前記駒が、人間や動植物を象った人形である、請求項１に記載されるセット。
【手続補正２】
【補正対象書類名】明細書
【補正対象項目名】０００８
【補正方法】変更
【補正の内容】
【０００８】
【図１】競技用容器と競技用駒を用い競技している斜視図
【図２】競技用容器の斜視図
【図３】水切り用容器の斜視図
【図４】競技用容器の中の水と駒を水切り用容器で分離している斜視図
【図５】競技用容器、水切り用容器、駒のセットの斜視図
【図６】駒を動植物などの人形の斜視図
【手続補正３】
【補正対象書類名】明細書
【補正対象項目名】０００９
【補正方法】変更
【補正の内容】
【０００９】競技用の容器、水切り用の容器、競技用駒から構成される。競技用の容器は、コップ状の容器である。水切り用の容器は、水と駒とを分離させる為に用いられ、コップ状の容器に、水切り用の穴の空いた蓋が被せてある形状をとる。競技用駒については、水を張った競技用の容器に水がこぼれないように入れる物である。ゲームとしては、水が容器からこぼれたら負けである。  本考案を実施するための形態は、前記競技用容器、前記水切り用の容器、前記競技用駒からなるセットである。
【手続補正４】
【補正対象書類名】明細書
【補正対象項目名】００１０
【補正方法】変更
【補正の内容】
【００１０】図１のように水（５）を張った競技用容器（１）の淵から、水（５）が、こぼれおちないように気をつけながら競技用駒（４）を入れることを競う表面張力ゲームを行う。  どちらかのプレーヤーが水（５）をこぼし、勝敗が決まった際、図４のように水（５）と競技用駒（４）が入った状態の競技用容器（１）を、水切り用の穴の空いた蓋（３）を被せた水切り用容器（２）に移すことで、  競技用駒（４）は水切り用の穴の空いた蓋（３）の上に残り、水（５）は、蓋に空けられた穴を通って、水切り用容器（２）の底に入り込む。  このことで、水（５）と競技用駒（４）との分離を円滑に行い、次のゲームに入る時間を短縮するという、前記競技用容器、前記水切り用容器、前記競技用駒をセットにしたこれらの構造を持つ表面張力ゲームのセットである。また、前記競技用駒（４）を図６のように人や動植物を象った競技用駒（６）にするアレンジも用いる。図２は、図１に登場する競技用容器を単体で表したものである。図３は、水切り用の容器を単体で表したものである。図５は、前記競技用容器、前記水切り用容器、前記競技用駒をセットにしたものである。
【手続補正５】
【補正対象書類名】図面
【補正対象項目名】全図
【補正方法】変更
【補正の内容】
【図１】
0003163652.tif 000008
【図２】
0003163652.tif 000009
【図３】
0003163652.tif 000010
【図４】
0003163652.tif 000011
【図５】
0003163652.tif 000012
【図６】
0003163652.tif 000013